(57)【要約】【課題】  ユーザの使い勝手がよく、制御の安定性を保つこと。【解決手段】  車両に搭載される本体２を備え、この本体２に外部機器１７１、１７２をバス２７ａを介して接続可能に構成し、本体２にバス２７ａを介して接続された外部機器１７１、１７２及び本体２に装備された内部機器１１０、１２０のうち、いずれかの機器を動作させるマスターマイコン１００を備え、このマスターマイコン１００は、電源遮断直前に動作させていた機器が外部機器１７１であり、電源遮断後、再び電源が投入された場合に、電源遮断直前に動作させていた外部機器１７１が本体２に接続されていれば、この外部機器１７１を動作させ、電源遮断直前に動作させていた外部機器１７１が本体に接続されていなければ、内部機器１１０を動作させる。【選択図】      図５
2006182161.tif 000002
【特許請求の範囲】
【請求項１】
車両に搭載される本体を備え、この本体に外部機器をバスを介して接続可能に構成し、
前記本体にバスを介して接続された外部機器及び前記本体に装備された内部機器のうち、いずれかの機器を動作させる制御部を備え、
この制御部は、電源遮断直前に動作させていた機器が外部機器であり、電源遮断後、再び電源が投入された場合に、電源遮断直前に動作させていた外部機器が前記本体に接続されていれば、この外部機器を動作させ、電源遮断直前に動作させていた外部機器が前記本体に接続されていなければ、前記内部機器を動作させることを特徴とする車載電子装置。
【請求項２】
前記制御部は、前記外部機器を動作させる動作モードと、前記内部機器を動作させる標準モードとを備えると共に、
実行した最後のモードを記憶する記憶手段と、
電源が投入された後に、前記記憶手段に記憶されているモードが前記動作モードであるか否かを判断する第１判断手段と、
この第１判断手段の判断の結果、前記記憶手段に記憶されているモードが動作モードである場合、この動作モードに対応する外部機器が前記本体に接続されているか否かを判断する第２判断手段と、
この第２判断手段の判断の結果、前記記憶手段に記憶されている動作モードに対応する外部機器が前記本体に接続されている場合、前記記憶手段に記憶されている動作モードを実行し、前記記憶部に記憶されている動作モードに対応する外部機器が前記本体に接続されていない場合、前記標準モードを実行するモード実行手段とを備えたことを特徴とする請求項１に記載の車載電子装置。
【請求項３】
前記制御部は、電源が投入された直後に、前記本体に外部機器が接続されているか否かを確認するシステムチェックを実行することを特徴とする請求項１又は２に記載の車載電子装置。
【請求項４】
車両に搭載される本体を備え、この本体に外部機器をバスを介して接続可能に構成し、
前記本体にバスを介して接続された外部機器及び前記本体に装備された内部機器のうち、いずれかの機器を動作させる車載電子装置の制御方法において、
電源遮断直前に動作させていた機器が外部機器であり、電源遮断後、再び電源が投入された場合に、電源遮断直前に動作させていた外部機器が前記本体に接続されているか否かを判断する第１のステップと、この第１ステップの判断の結果、電源遮断直前に動作させていた外部機器が前記本体に接続されている場合、この外部機器を動作させる第２のステップと、前記第１ステップの判断の結果、電源遮断直前に動作させていた外部機器が前記本体に接続されていない場合、前記内部機器を動作させる第３のステップとを備えたことを特徴とする車載電子装置の制御方法。
【発明の詳細な説明】
【技術分野】
【０００１】
本発明は、本体が車両に搭載される車載電子装置の技術に関する。
【背景技術】
【０００２】
従来、アクセサリースイッチがオンされた場合に、バスを介して接続される外部機器を確認し、接続されている外部機器のうち、ユーザにより選択された外部機器を動作させるように構成した車載電子装置としての車載音響装置が知られている（例えば、特許文献１参照）。
【０００３】
通常、この種の車載電子装置では、本体に複数の外部機器（ＣＤ（Compact Disc）チェンジャー装置やＤＶＤ（Digital Versatile Disk）チェンジャー装置等）が接続可能であると共に、この本体にはチューナ部等の内部機器が装備されているのが一般的である。
【特許文献１】特公平５−４６７３４号公報
【発明の開示】
【発明が解決しようとする課題】
【０００４】
ところで、上記車載電子装置において、ユーザは、電源を投入する度にどの機器を動作させるかを選択しなければならず、ユーザの使い勝手が低いものであったため、電源遮断直前に動作させていた内部機器或いは外部機器を動作させるように構成するものが考えられる。しかし、このように構成した場合に、内部機器は、ユーザにより本体から取り外されることはないが、外部機器は、ユーザにより本体から取り外すことが可能であり、このようにユーザが外部機器を取り外した状態で電源が再投入された場合、装置本体側では、接続されていない外部機器を動作させようとする不都合が生じてしまい、車載電子装置の制御の安定性が損なわれてしまう恐れがある。
【０００５】
そこで、本発明は、上述した事情に鑑みてなされたものであり、ユーザの使い勝手がよく、外部機器が取り外された場合であっても、制御の安定性が保たれる車載電子装置及びその制御方法を提供することを目的としている。
【課題を解決するための手段】
【０００６】
上述した課題を解決するため、本発明は、車両に搭載される本体を備え、この本体に外部機器をバスを介して接続可能に構成し、前記本体にバスを介して接続された外部機器及び前記本体に装備された内部機器のうち、いずれかの機器を動作させる制御部を備え、この制御部は、電源遮断直前に動作させていた機器が外部機器であり、電源遮断後、再び電源が投入された場合に、電源遮断直前に動作させていた外部機器が前記本体に接続されていれば、この外部機器を動作させ、電源遮断直前に動作させていた外部機器が前記本体に接続されていなければ、前記内部機器を動作させることを特徴とするものである。
【０００７】
また、前記車載電子装置において、前記制御部は、前記外部機器を動作させる動作モードと、前記内部機器を動作させる標準モードとを備えると共に、実行した最後のモードを記憶する記憶手段と、電源が投入された後に、前記記憶手段に記憶されているモードが前記動作モードであるか否かを判断する第１判断手段と、この第１判断手段の判断の結果、前記記憶手段に記憶されているモードが動作モードである場合、この動作モードに対応する外部機器が前記本体に接続されているか否かを判断する第２判断手段と、この第２判断手段の判断の結果、前記記憶手段に記憶されている動作モードに対応する外部機器が前記本体に接続されている場合、前記記憶手段に記憶されている動作モードを実行し、前記記憶部に記憶されている動作モードに対応する外部機器が前記本体に接続されていない場合、前記標準モードを実行するモード実行手段とを備えたことを特徴とするものである。
【０００８】
また、前記車載電子装置において、前記制御部は、電源が投入された直後に、前記本体に外部機器が接続されているか否かを確認するシステムチェックを実行することを特徴とするものである。
【０００９】
また、車両に搭載される本体を備え、この本体に外部機器をバスを介して接続可能に構成し、前記本体にバスを介して接続された外部機器及び前記本体に装備された内部機器のうち、いずれかの機器を動作させる車載電子装置の制御方法において、電源遮断直前に動作させていた機器が外部機器であり、電源遮断後、再び電源が投入された場合に、電源遮断直前に動作させていた外部機器が前記本体に接続されているか否かを判断する第１のステップと、この第１ステップの判断の結果、電源遮断直前に動作させていた外部機器が前記本体に接続されている場合、この外部機器を動作させる第２のステップと、前記第１ステップの判断の結果、電源遮断直前に動作させていた外部機器が前記本体に接続されていない場合、前記内部機器を動作させる第３のステップとを備えたことを特徴とするものである。
【００１０】
また、車両に搭載される本体を備え、この本体に外部機器をバスを介して接続可能に構成し、前記本体にバスを介して接続された外部機器及び前記本体に装備された内部機器のうち、いずれかの機器を動作させる車載電子装置をコンピュータにより制御するための制御プログラムにおいて、電源遮断直前に動作させていた機器が外部機器であり、電源遮断後、再び電源が投入された場合に、電源遮断直前に動作させていた外部機器が前記本体に接続されているか否かを判断させ、この判断の結果、電源遮断直前に動作させていた外部機器が前記本体に接続されている場合、この外部機器を動作させ、電源遮断直前に動作させていた外部機器が前記本体に接続されていない場合、前記内部機器を動作させることを特徴とするものである。
【発明の効果】
【００１１】
本発明によれば、電源遮断直前の機器が動作されるのでユーザの使い勝手がよく、本体から外部機器が外されても、内部機器を動作させるので、制御の安定性を保つことができる。
【発明を実施するための最良の形態】
【００１２】
以下、図面を参照しつつ本発明の実施の形態について説明する。
図１は、本実施の形態に係る車載電子装置の一態様たる車載音響装置としてのカーオーディオ装置１の正面図であり、図２は当該カーオーディオ装置１の装置本体２の正面図である。図１に示すように、カーオーディオ装置１の正面（フロント部分）には、着脱可能なコントロールパネル（以下、ＤＣＰ（Detachable Control Panel）という）３が装置本体２に対して取り外し自在に取り付けられる。
【００１３】
ＤＣＰ３は、カーオーディオ装置１の表示手段及び操作手段として機能するものであり、ＤＣＰケース４と、液晶パネル５と、当該液晶パネル５上に設けられたタッチパネル６と、液晶パネル５の左右両側に配設された複数の操作キー７とを有している。液晶パネル５の上下縁部には上フレーム８Ａ及び下フレーム８Ｂが設けられ、これら上フレーム８Ａ及び下フレーム８Ｂにより液晶パネル５が挟持される。また下フレーム８Ｂには液晶パネル５との隣接部分に沿ってほぼ等間隔に凹部９が４箇所形成されている。これら凹部９は、タッチパネル６上の操作箇所を案内するものである。即ち、図１に示すように、液晶パネル５には、これら４箇所の凹部９に対応して４つの操作ボタンアイコン１０が表示され、ユーザが下フレーム８Ｂ上で指を摺動させれば、液晶パネル５に表示された操作ボタン１０の位置を凹部９の位置から察することができるようになっている。従って、ユーザは液晶パネル５を見なくとも、タッチパネル６の操作を容易に行うことができる。
【００１４】
更に、図１に示すように、液晶パネル５の左右両縁のそれぞれには、上下に延びるガイド片１１が設けられている。これらのガイド片１１は、上記下フレーム８Ｂの凹部９と同様に、タッチパネル６上の操作箇所を案内するものである。具体的には、図１に示すように、液晶パネル５の左右両縁付近には、液晶画面５に表示されている表示項目を順次変更するためのスクロール操作アイコン１２が表示されており、ユーザはガイド片１１を頼りにスクロール操作アイコン１２を操作することができる。即ち、ユーザがガイド片１１に沿ってタッチパネル６上を指で摺摩することで、スクロール操作アイコン１２が操作され、表示項目が順次変更される。
【００１５】
ＤＣＰ３が複数の操作キー７を備えることは上述の通りであるが、これらの操作キー７として、電源・ボリュームキー７Ａ、ソースボタン７Ｂ、オープン・イジェクトボタン７Ｃ、アジャストボタン７Ｄ、モードボタン７Ｅ、サウンドボタン７Ｆ、及び、ＩＳＲボタン７Ｇが設けられている。電源・ボリュームキー７Ａはロータリーキースイッチとして構成され、押下操作によって電源がオン・オフし、また、回転操作によってボリューム（音量）が調整される。ソースボタン７Ｂは音源ソースを切り換えるための押下式ボタンであり、押下の度に、再生する音源ソースが切り換えられる。音源ソースとしては、装置本体２に内蔵された内部機器としての内部音源ソースであるラジオ音源（図５中チューナ部１１０）やＣＤ音源（図５中ＣＤ再生部１２０）、装置本体２に通信可能に接続された外部機器としての外部音源ソースであるＣＤチェンジャー装置１７１（図５）やＤＶＤチェンジャー装置１７２（図５）から入力される外部音声などが用いられている。本実施形態では、装置本体２には、バスを介して複数の外部機器としての外部音源ソースが接続可能に構成されている。
【００１６】
オープン・イジェクトボタン７ＣはＤＣＰ３パネルを開くための押下式ボタンであり、ＤＣＰ３が閉じた状態でオープン・イジェクトボタン７Ｃが押下されると、ＤＣＰ３が図示せぬリンク機構により装置本体２から押し出されるように傾倒して開状態となり、装置本体２の正面（フロント部分）が露出する。図２に示すように、装置本体２の正面にはＣＤの挿入口２０が設けられており、ＤＣＰ３を開状態とすることで装置本体２へのＣＤの挿脱が可能となる。また、ＤＣＰ３が開いた状態で上記オープン・イジェクトボタン７Ｃを操作した場合には、挿入口２０からのＣＤの排出動作が行われる。
【００１７】
アジャストボタン７Ｄは装置本体２の各種の設定や調整をするときに使用される操作ボタンである。モードボタン７Ｅは例えばＣＤ再生時の再生モードを設定するための押下式ボタンであり、押下の度に、リピート再生やランダム再生といった再生モードが切り替わり設定される。また、当該モードボタン７Ｅが長押操作された場合には、液晶パネル５の表示が標準表示とデザインを省略して視認性を向上させたシンプル表示との間で表示が切り換えられる。サウンドボタン７Ｆは音響に関する各種の設定や調整をするときに使用される操作ボタンである。ＩＳＲボタン７Ｇは現在の音源ソースの選択状態にかかわらず、特定のラジオチャンネルを受信してラジオ音声を出力させるための操作ボタンである。
【００１８】
また、ＤＣＰ３の正面には、車室内の明るさを感知するフォトセンサの受光窓１３と、リモートコントローラからの信号を受光するための受光窓１４とが設けられている。本カーオーディオ装置１にあっては、上記フォトセンサで感知した車室内の明るさに応じて液晶パネル５のバックライトの輝度が調整されるようになっている（いわゆる、オートディマー機能）。
【００１９】
このＤＣＰ３は、上記のように、装置本体２から取り外し可能になっており、その構造について説明すると、図３に示すように、ＤＣＰ３の背面には、２つの係合突起３０Ａ、３０Ｂと１つの係合受け３１とが形成されると共にコネクタ接点３２が形成され、また、図２に示すように、装置本体２の正面には、上記ＤＣＰ３を取り付けるための支持プレート２１が設けられ、この支持プレート２１上に２つの係合受け２２Ａ、２２Ｂと、１つの係合突起２３と、コネクタ接点２４とが形成されている。この構成の下、ＤＣＰ３の背面の係合受け３１を装置本体２の支持プレート２１上の係合突起２３に押し込んで、ＤＣＰ３の一端側を装置本体２に係合させた後、ＤＣＰ３の背面の係合突起３０Ａ、３０Ｂ及びコネクタ接点３２をそれぞれ装置本体２の係合受け２２Ａ、２２Ｂ及びコネクタ接点２４に押し込んで係合させることで、ＤＣＰ３が装置本体２の正面に取り外し自在に取り付けられる。
【００２０】
ＤＣＰ３が装置本体２に取り付けられた状態にあっては、上記コネクタ接点３２及び２４を介してＤＣＰ３と装置本体２との間で信号の送受が可能となり、これらＤＣＰ３と装置本体２との間で操作キー７の操作に応じた操作信号や、液晶パネル５へ各種情報を表示するための信号等が送受される。
【００２１】
図４は、装置本体２の背面図である。この装置本体２の背面には、図４に示すように、外部アンプユニットが接続されるＲＣＡコネクタ２６と、ＣＤチェンジャー装置１７１（図５）やＤＶＤチェンジャー装置１７２（図５）等の外部機器としての外部音源ソースがバスで接続されるバス端子２７とが設けられている。
【００２２】
次いで、本カーオーディオ装置１の機能的構成について図５を参照して詳述する。図５はカーオーディオ装置１の装置本体２及びＤＣＰ３の機能的構成を示すブロック図である。この図に示すように、カーオーディオ装置１の装置本体２は、マスターマイコン１００と、チューナ部１１０と、ＣＤ再生部１２０と、音声出力部１３０と、インタフェース１４０とを備えている。また、バス端子２７にバス２７ａを介して装置本体２に外部機器が接続可能であり、図５ではＣＤチェンジャー装置１７１及びＤＶＤチェンジャー装置１７２が接続されている。
【００２３】
マスターマイコン１００は、ＣＰＵ１００ａを備え、装置本体２の各部及びＤＣＰ３の制御を実行するものであり、更に、ＥＥＰＲＯＭ１００ｂやＲＡＭ１００ｃ（記憶手段）が内蔵され、当該ＥＥＰＲＯＭ１００ｂには、制御用プログラムやメニュー画面などの各種表示用データが格納されている。なお、マスターマイコン１００には、車両のバッテリに直結されたバックアップ電源１４１と、キースイッチ１４２を介してバッテリに接続されたＡＣＣ電源１４３とが供給されている。従って、ＡＣＣ電源１４３がオフの間は、バックアップ電源１４１がマスターマイコン１００に供給され、ＲＡＭ１００ｃなどに格納したデータが保持される。
【００２４】
つまり、バックアップ電源１４１は、マスターマイコン１００のみに供給され、他の機器（ＤＣＰ３、チューナ部１１０、ＣＤ再生部１２０及び音声出力部１３０並びに外部機器としてのＣＤチェンジャー装置１７１及びＤＶＤチェンジャー装置１７２）には供給されない。即ち、ＡＣＣ電源１４３が投入されたとき、装置本体２並びに外部機器としてのＣＤチェンジャー装置１７１及びＤＶＤチェンジャー装置１７２が動作可能となり、ＡＣＣ電源１４３が遮断されたとき、装置本体２並びに外部機器としてのＣＤチェンジャー装置１７１及びＤＶＤチェンジャー装置１７２が停止状態となる。
【００２５】
ＥＥＰＲＯＭ１００ｂには、装置本体２に接続可能な全ての外部機器のデータ、つまり、装置本体２に接続可能な各外部機器に対応する確認コマンドが予め記憶されている。このＥＥＰＲＯＭ１００ｂに記憶されている確認コマンドのデータは、更新することが可能であり、例えば、ＣＤ再生部１２０に挿入されたＣＤ−ＲＯＭからデータを読み出したり、不図示のコンピュータ等からデータをダウンロードすることで更新が可能である。
【００２６】
チューナ部１１０は、ＡＭ／ＦＭ波のラジオ放送を受信するものであり、アンテナ１１１と、チューナ回路１１２とを備え、チューナ回路１１２がマスターマイコン１００の指示に基づいて所定チャンネルのラジオ放送を受信し、音声信号を音声出力部１３０に出力する。ＣＤ再生部１２０は、マスターマイコン１００の制御の下、ＣＤに記録されている音楽データを読み取り、音声信号を音声出力部１３０に出力するＣＤ読取部１２１を備えている。
【００２７】
音声出力部１３０は、マスターマイコン１００の制御の下、チューナ部１１０等及びＣＤ再生部１２０の各々からの音声信号に基づいて音声を出力するものであり、ＤＳＰ（Digital Signal Processor）１３１と、音量を調整する電子ボリューム回路１３２とを備えている。ＤＳＰ１３１は、マスターマイコン１００の制御の下、音声信号に対して、例えばフィルタ処理やイコライザ処理、音声信号が符号化されている場合にはデコード処理といったデジタル音声信号処理を施して電子ボリューム回路１３２に出力するものであり、電子ボリューム回路１３２は、マスターマイコン１００の制御の下、再生音量を調整すべく、音声信号をＤ／Ａ変換した後に信号の振幅レベルを調整して出力するものである。また、ＤＳＰ１３１には、上記チューナ部１１０及びＣＤ再生部１２０の他にも、インタフェース１４０を介してＣＤチェンジャー装置１７１やＤＶＤチェンジャー装置１７２といった外部機器からの外部音声信号が入力可能に構成されている。
【００２８】
ここで、本カーオーディオ装置１には、例えば２線の同軸ケーブルからなるＲＣＡコネクタ２６を介して外部アンプユニット１６０が接続されており、上記電子ボリューム回路１３２から出力された音声信号がＲＣＡコネクタ２６を介して外部アンプユニット１６０に入力される。外部アンプユニット１６０は複数のスピーカＳＰが接続可能に構成されており、接続可能なスピーカＳＰの最大数（本実施の形態では６）だけのアンプ回路（図示せず）を備え、電子ボリューム回路１３２から入力された音声信号を増幅して、現在接続されている各スピーカＳＰに出力する。なお、アンプ回路やスピーカを装置本体２にも内蔵し、外部アンプユニット１６０を介さずに音声を出力可能に構成しても良いことは勿論である。
【００２９】
ＤＣＰ３は、上記のように、液晶パネル５とタッチパネル６と操作キー７とを備える他、更に、ＤＣＰ３の各部を制御する表示マイコン１５１と、当該表示マイコン１５１の指示に基づいて液晶パネル５に各種情報表示を行うＬＣＤドライバ１５２とを有している。ＤＣＰ３が装置本体２に装着された場合には、ＤＣＰ３の表示マイコン１５１と装置本体２のマスターマイコン１００とが上記コネクタ接点２４、３２により電気的に接続され、各種信号の授受を行う。例えば操作キー７の１つである電源・ボリュームキー７Ａ（図１参照）が回転操作され、ユーザによりボリューム調整が行われた場合には、かかる回転操作量が図示せぬエンコーダにより検出され、表示マイコン１５１からマスターマイコン１００に送信される。この結果、マスターマイコン１００は、再生音量が電源・ボリュームキー７Ａの回転操作量に応じたボリュームとなるように電子ボリューム回路１３２を制御することとなる。
【００３０】
タッチパネル６には抵抗膜方式のタッチパネルが用いられ、その表面に手などが触れた場合、その接触点の位置座標に応じた電圧の信号が表示マイコン１５１に出力され、かかる信号に基づいて表示マイコン１５１によって接触点座標が特定される。これにより、液晶パネル５に表示されているどの操作ボタンが操作されたかが特定され、その操作に応じた動作が実行される。
【００３１】
本実施形態では、キースイッチ１４２によりＡＣＣ電源１４３が投入された直後、或いは通信可能に接続されている外部機器１７１（又は１７２）からの要求コマンドを受信した場合、マスターマイコン１００は、装置本体２にバス２７ａを介して外部機器１７１、１７２が通信可能に接続されているか否かを確認するシステムチェックを実行する。つまり、マスターマイコン１００は、ＡＣＣ電源１４３が投入される度にシステムチェックを行うものである。
【００３２】
図６は、システムチェック時の動作を示すシーケンス図である。この図６を参照しながら説明すると、まず、マスターマイコン１００のＣＰＵ１００ａは、システムチェックとして、ＣＤチェンジャー装置１７１のみに認識される確認コマンドをバス２７ａに送出する（Ｓ１）。この確認コマンドを受信したＣＤチェンジャー装置１７１は、所定時間内にバス２７ａに応答コマンドを送出する（Ｓ２）。マスターマイコン１００のＣＰＵ１００ａは、この応答コマンドを受信し、ＣＤチェンジャー装置１７１が通信可能に接続されていると判定する（Ｓ３）。
【００３３】
次いで、マスターマイコン１００のＣＰＵ１００ａは、ＤＶＤチェンジャー装置１７２についても、ＣＤチェンジャー装置１７１の確認動作と同様に、ＤＶＤチェンジャー装置１７２にのみ認識される確認コマンドをバス２７ａに出力して確認する。
【００３４】
つまり、マスターマイコン１００のＣＰＵ１００ａは、ＥＥＰＲＯＭ１００ｂに記憶されている全ての確認コマンドを順次送出する。
【００３５】
ここで、マスターマイコン１００のＣＰＵ１００ａは、確認コマンドを送出してから所定時間が経過しても応答コマンドを受信しなかった場合は、この確認コマンドに対応する外部機器１７１（又は１７２）が装置本体２に通信可能に接続されていないものと判定する。このように、通信可能に接続されていない場合としては、実際にバス２７ａに外部機器１７１、１７２が接続されていない場合や、外部機器１７１、１７２に設けられている不図示の電源スイッチがオフされている場合等である。
【００３６】
マスターマイコン１００は、このようにしてシステムチェックを行った後、操作キー７のソースボタン７Ｂにより、装置本体２に通信可能に接続されているＣＤチェンジャー装置１７１又はＤＶＤチェンジャー装置１７２を選択可能に設定する。
【００３７】
つまり、内部機器としての内部音源ソースであるチューナ部１１０を動作させるチューナモード（標準モード）、及びＣＤ再生部１２０を動作させるＣＤモードがソースボタン７Ｂ（図１）により選択可能に構成されており、更に、システムチェックにより、ＣＤチェンジャー装置１７１を動作させるＣＤチェンジャー動作モード（動作モード）、ＤＶＤチェンジャー装置１７２を動作させるＤＶＤチェンジャー動作モード（動作モード）が、ソースボタン７Ｂ（図１）により選択可能に構成される。即ち、ソースボタン７Ｂが操作される度に、チューナモード、ＣＤモード、ＣＤチェンジャー動作モード又はＤＶＤチェンジャー動作モードにサイクリックに選択されることとなる。これにより、マスターマイコン１００は、ソースボタン７Ｂ（図１）により選択されたモードを実行する。
【００３８】
さて、本実施形態では、マスターマイコン１００のＣＰＵ１００ａは、ソースボタン７Ｂにより現在選択されているモードをＲＡＭ１００ｃに記憶させている。例えば車両を停車させ、エンジンを停止させたときはユーザによりキースイッチ１４２がオフされているが、このキースイッチ１４２がオフされ、ＡＣＣ電源１４３が遮断された場合であっても、バックアップ電源１４１によりＲＡＭ１００ｃの内容は保持されている。つまり、ＲＡＭ１００ｃには、電源遮断直前のモードが記憶されている。
【００３９】
次に、再びＡＣＣ電源１４３が投入された場合について説明する。
図７は、ＡＣＣ電源１４３が投入された直後の制御部としてのマスターマイコン１００の制御動作を示すフローチャートである。
【００４０】
まず、マスターマイコン１００のＣＰＵ１００ａは、上述したシステムチェックを実行する（ステップＳＴ１）。次に、マスターマイコン１００のＣＰＵ１００ａは、ＲＡＭ１００ｃに記憶されているモードが、外部機器１７１（又は１７２）を動作させるモードであるか否かを判断する（ステップＳＴ２）。つまり、ＣＰＵ１００ａは、ＲＡＭ１００ｃに記憶されているモードがＣＤチェンジャー動作モード或いはＤＶＤチェンジャー動作モードであるか否かを判断する。
【００４１】
このＲＡＭ１００ｃに記憶されているモードが、外部機器１７１（又は１７２）を動作させるモードである場合（ＳＴ２；Ｙｅｓ）、ＣＰＵ１００ａは、ＲＡＭ１００ｃに記憶されているモードに対応する外部機器１７１（又は１７２）が、装置本体２に通信可能に接続されているか否かを判断する（ステップＳＴ３）。
【００４２】
例えば、ＲＡＭ１００ｃに記憶されているモードが、ＣＤチェンジャー装置１７１を動作させるＣＤチェンジャー動作モードである場合、ＣＰＵ１００ａは、ＣＤチェンジャー装置１７１が、装置本体２に通信可能に接続されているか否かを判断する。
【００４３】
このステップＳ３の判断の結果、ＲＡＭ１００ｃに記憶されているモードに対応する外部機器１７１（又は１７２）が、装置本体２に通信可能に接続されている場合（ステップＳＴ３；Ｙｅｓ）、ＣＰＵ１００ａは、ＲＡＭ１００ｃに記憶されているモードを実行する（ステップＳＴ４）。
【００４４】
例えば、ＲＡＭ１００ｃに記憶されているＣＤチェンジャー動作モードに対応するＣＤチェンジャー装置１７１が、装置本体２に通信可能に接続されている場合、ＣＰＵ１００ａは、このＣＤチェンジャー装置１７１を動作させるＣＤチェンジャー動作モードを実行する。
【００４５】
次に、ステップＳＴ２において、ＲＡＭ１００ｃに記憶されているモードが外部機器１７１（又は１７２）を動作させるモードではない場合（ステップＳＴ２；Ｎｏ）、つまり、ＲＡＭ１００ｃに記憶されているモードが、チューナモード又はＣＤモードである場合、これらモードは、装置本体２に装備されている内部機器としてのチューナ部１１０又はＣＤ再生部１２０を動作させるモードであるので、ＣＰＵ１００ａは、ステップＳＴ４の処理、つまり、このＲＡＭ１００ｃに記憶されているチューナモード又はＣＤモードを実行する。
【００４６】
さて、ステップＳＴ３において、ＲＡＭ１００ｃに記憶されているモードに対応する外部機器１７１（又は１７２）が装置本体２に通信可能に接続されていない場合（ステップＳＴ３；Ｎｏ）、例えば、ＲＡＭ１００ｃには、ＣＤチェンジャー動作モードが記憶されているが、このＣＤチェンジャー動作モードに対応するＣＤチェンジャー装置１７１が装置本体２に通信可能に接続されていない場合、この外部機器としてのＣＤチェンジャー装置１７１を動作させることはできない。従って、本実施形態では、この場合（ステップＳＴ３；Ｎｏ）、ＣＰＵ１００ａは、標準モードであるチューナモードを実行する（ステップＳＴ５）。
【００４７】
つまり、ＡＣＣ電源１４３遮断直前に動作させていた機器がＣＤチェンジャー装置１７１であり、電源遮断後、再びＡＣＣ電源１４３が投入された場合に、電源遮断前に動作させていたＣＤチェンジャー装置１７１が装置本体２に通信可能に接続されていれば、このＣＤチェンジャー装置１７１を動作させ、ＡＣＣ電源１４３遮断前に動作させていたＣＤチェンジャー装置１７１が装置本体２から外されていれば、チューナ部１１０を動作させるものである。
【００４８】
従って、本実施形態によれば、ＡＣＣ電源１４３遮断直前に動作させていた機器を、次にＡＣＣ電源１４３を投入した際に動作させるように構成したので、ユーザがわざわざソースボタン７Ｂを操作する必要がない。つまり、ソースボタン７Ｂを操作しなくても、ＡＣＣ電源１４３遮断直前に動作させていた機器を動作状態にすることができる。これにより、ユーザの手間が省け、ユーザの使い勝手が向上する。
【００４９】
更に、本実施形態によれば、ＲＡＭ１００ｃに記憶されているモードに対応する外部機器１７１（又は１７２）が装置本体２から取り外されている場合、ＡＣＣ電源１４３を投入した直後に、チューナ部１１０を動作させるチューナモードに自動的に切り換えるように構成されているので、ユーザがわざわざソースボタン７Ｂを操作して切り換える必要がなく、ユーザの手間が省け、ユーザの使い勝手が向上すると共に、マスターマイコン１００は、取り外された外部機器１７１（１７２）を動作させるような制御を行うことはないので、制御の安定性を保つことができる。
【００５０】
ここで、図８に示すように、新たに外部機器としてのカーナビゲーション装置１７３がバス２７ａを介して装置本体２のバス端子２７に通信可能に接続された場合、例えば、ＡＣＣ電源１４３が投入されている状態でカーナビゲーション装置１７３がバス２７ａに接続された場合や、カーナビゲーション装置１７３の電源スイッチがオンされた場合、このカーナビケーション装置１７３は、新規参入することを示す要求コマンドをバス２７ａに送出する。この要求コマンドを受信したマスターマイコン１００は、上述したシステムチェックを行う。これによって、外部機器を動作させる動作モードに、カーナビゲーション装置１７３を動作させるカーナビ動作モードが追加され、ソースボタン７Ｂ（図１）によりカーナビ動作モードが選択された場合、装置本体２は、カーナビゲーション装置１７３より音声信号を受信することとなる。このように、外部機器を追加する際も自動で設定が行われ、ユーザの手間が省け、ユーザの使い勝手が向上する。
【００５１】
上述した実施形態は、本発明の一態様を示すものであり、この発明を限定するものではなく、本発明の範囲内で任意に変更可能である。更に、実施形態で示した構成はそれに限定されるものではなく、本発明の趣旨を逸脱しない範囲で適宜変更が可能である。
【００５２】
例えば、上述した実施形態では、制御プログラムをマスターマイコン１００のＥＥＰＲＯＭ１００ｂに予め記憶しておく場合について述べたが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００５３】
【図１】本実施の形態に係る車載電子装置の正面図である。
【図２】車載電子装置の装置本体の正面図である。
【図３】コントロールパネルの背面図である。
【図４】車載電子装置の装置本体の背面図である。
【図５】車載電子装置の装置本体及びコントロールパネルの機能的構成を示すブロック図である
【図６】システムチェック時の動作を示すシーケンス図である。
【図７】制御部の制御動作を示すフローチャートである。
【図８】外部機器を追加接続した場合の説明図である。
【符号の説明】
【００５４】
１  カーオーディオ装置（車載電子装置）
２  装置本体（本体）
７Ｂ  ソースボタン
２７  バス端子
２７ａ  バス
１００  マスターマイコン（制御部）
１００ｃ  ＲＡＭ（記憶手段）
１１０  チューナ部（内部機器）
１４３  ＡＣＣ電源（電源）
１７１  ＣＤチェンジャー装置（外部機器）
１７２  ＤＶＤチェンジャー装置（外部機器）
１７３  カーナビゲーション装置（外部機器）
【図１】
2006182161.tif 000003
【図２】
2006182161.tif 000004
【図３】
2006182161.tif 000005
【図４】
2006182161.tif 000006
【図５】
2006182161.tif 000007
【図６】
2006182161.tif 000008
【図７】
2006182161.tif 000009
【図８】
2006182161.tif 000010